(57)【要約】【課題】ライブ素材と編集済み素材とを同一の手順で簡単に送出することを可能とする。【解決手段】送出映像選択端末１１に、ライブ素材については入力ライン毎のライブ素材ボタンを配置し、編集済み素材については送出サーバ１２に収録される編集済み素材毎に編集済み素材ボタンを配置する。そして、上記編集済み素材ボタンが押下されると、送出サーバ１２は、空きポートを検出し、当該素材の送出を検出された空きポートに割り付け、再生制御を行う。さらに映像切替器１３を上記割り付けられたポートに切り替えることで、上記素材をオンエア映像として出力する。つまり、送出サーバ１２に収録を編集済み素材の送出を、素材選択操作のみで行えるようにしている。これにより、ライブ素材と、編集済み素材の送出操作の手順を同一にすることができ、番組送出操作を簡単かつ確実に行うことができる。【選択図】      図１
2007142572.tif 000002
【特許請求の範囲】
【請求項１】
複数の編集済み素材を収録し、前記編集済み素材を出力する出力ポートを有する送出サーバと、前記送出サーバから入力される編集済み素材と外部入力されるライブ素材とを選択的に切り替えてオンエア映像として送出する映像切替器とを具備する番組送出システムであって、
前記ライブ素材に対応するライブ素材ボタンと、前記複数の編集済み素材それぞれに対応する複数の編集済み素材ボタンとを提示し、いずれかのボタンの選択操作を受け付ける選択処理手段と、
前記選択処理手段によりライブ素材ボタンが選択された場合に、前記映像切替器を切り替えて前記ライブ素材をオンエア映像として送出させるライブ素材送出手段と、
前記選択処理手段により編集済み素材ボタンが選択された場合には、当該ボタンに対応する編集済み素材を前記出力ポートから出力させると同時に、前記映像切替器を切り替えて前記編集済み素材をオンエア映像として送出させる編集済み素材送出手段と
を備えることを特徴とする番組送出システム。
【請求項２】
前記送出サーバが複数の出力ポートを有する場合に、前記編集済み素材送出手段は、前記複数の出力ポートのうち空きポートを検出する検出手段を具備し、前記検出手段により検出された空きポートにより前記選択された編集済み素材を出力させることを特徴とする請求項１記載の番組送出システム。
【請求項３】
前記選択処理手段は、前記送出サーバに編集済み素材が収録されたときに、当該編集済み素材に対応する編集済み素材ボタンを追加し、前記送出サーバから編集済み素材が削除されたときに、前記削除された編集済み素材に対応する編集済み素材ボタンを削除することを特徴とする請求項１記載の番組送出システム。
【請求項４】
前記選択処理手段は、前記編集済み素材ボタンとして当該編集済み素材の映像をもとに作成されるサムネイルを表示することを特徴とする請求項１記載の番組送出システム。
【請求項５】
複数の編集済み素材を収録し、前記編集済み素材を出力する出力ポートを有する送出サーバと、前記送出サーバから入力される編集済み素材と外部入力されるライブ素材とを選択的に切り替えてオンエア映像として送出する映像切替器とを具備する番組送出システムで用いられ、
前記ライブ素材に対応するライブ素材ボタンと、前記複数の編集済み素材それぞれに対応する複数の編集済み素材ボタンとを提示し、いずれかのボタンの選択操作を受け付ける選択処理ステップと、
前記選択処理ステップによりライブ素材ボタンが選択された場合に、前記映像切替器を切り替えて前記ライブ素材をオンエア映像として送出させるライブ素材送出ステップと、
前記選択処理ステップにより編集済み素材ボタンが選択された場合には、当該ボタンに対応する編集済み素材を前記出力ポートから出力させると同時に、前記映像切替器を切り替えて前記編集済み素材をオンエア映像として送出させる編集済み素材送出ステップと
を備えることを特徴とする番組送出方法。
【発明の詳細な説明】
【技術分野】
【０００１】
この発明は、例えば、生番組を送出するための番組送出システム及び番組送出方法に関する。
【背景技術】
【０００２】
報道やバラエティ等の生番組の素材は、大きく、ライブ素材（スタジオ内のカメラ、他放送局からの中継回線等）と、送出サーバから出力される編集済み素材に分類される。これらの素材が映像切替器により選択されてオンエア放送として送出される。これらの素材を手動で送出する場合、ライブ素材は、映像切替器による入力ライン選択操作だけで送出できるが、編集済み素材は、上記入力ライン選択に先立ち、送出サーバのポート割当て、スタンバイ（一時停止）、スタートなどの操作ステップを必要とする。このため、編集済み素材を送出する場合には、ライブ素材と同じ操作で扱うことができなかった。
【０００３】
なお、従来、収録時の素材長等の設定作業を自動化することにより収録から送出開始までの時間を短縮化する手法（特許文献１を参照。）や、素材送出前に素材情報を提示することで放送トラブルを容易に発見する手法（特許文献２）が提案されている。
【特許文献１】特開２００１−７７７７６公報
【特許文献２】特開２００２−２９０９２８公報
【発明の開示】
【発明が解決しようとする課題】
【０００４】
上記述べたように、ライブ素材は、入力ラインの選択操作だけで簡単に送出できるが、編集済み素材は、前もって送出サーバのポート割当て、スタンバイ（一時停止）、スタートなどの操作ステップを必要とするため、操作が煩雑であり、素材の送出までに時間がかかったり、操作を誤ったりする場合があった。
【０００５】
この発明は上記事情に着目してなされたもので、その目的とするところは、ライブ素材と編集済み素材とを同一の手順で簡単に送出することができる番組送出システム及び番組送出方法を提供することにある。
【課題を解決するための手段】
【０００６】
上記目的を達成するためにこの発明に係わる番組送出システム及び番組送出方法は、複数の編集済み素材を収録し、前記編集済み素材を出力する出力ポートを有する送出サーバと、前記送出サーバから入力される編集済み素材と外部入力されるライブ素材とを選択的に切り替えてオンエア映像として送出する映像切替器とを具備する番組送出システムであって、前記ライブ素材に対応するライブ素材ボタンと、前記複数の編集済み素材それぞれに対応する複数の編集済み素材ボタンとを提示し、いずれかのボタンの選択操作を受け付ける選択処理手段と、前記選択処理手段によりライブ素材ボタンが選択された場合に、前記映像切替器を切り替えて前記ライブ素材をオンエア映像として送出させるライブ素材送出手段と、前記選択処理手段により編集済み素材ボタンが選択された場合には、当該ボタンに対応する編集済み素材を前記出力ポートから出力させると同時に、前記映像切替器を切り替えて前記編集済み素材をオンエア映像として送出させる編集済み素材送出手段とを備えるものである。
【０００７】
上記構成によれば、送出サーバに収録される素材毎に素材ボタンを配置し、編集済み素材の送出を、素材選択操作のみで行えるようにしている。これにより、ライブ素材と、編集済み素材の送出操作の手順を同一にすることができ、番組送出操作を簡単かつ確実に行うことができる。
【０００８】
また、この発明は、次のような各種構成を備えることも特徴とする。  
第１の構成は、前記送出サーバが複数の出力ポートを有する場合に、前記編集済み素材送出手段は、前記複数の出力ポートのうち空きポートを検出する検出手段を具備し、前記検出手段により検出された空きポートにより前記選択された編集済み素材を出力させるようにする。  
このようにすると、送出サーバが複数の出力ポートを有する場合には、空いている出力ポートが自動に割付けられて選択された素材が出力される。これにより、出力ポートを意識せず、ライブ素材と同等の操作で送出が可能になる。
【０００９】
第２の構成は、前記選択処理手段は、前記送出サーバに編集済み素材が収録されたときに、当該編集済み素材に対応する編集済み素材ボタンを追加し、前記送出サーバから編集済み素材が削除されたときに、前記削除された編集済み素材に対応する編集済み素材ボタンを削除することを特徴とする。  
このように構成することにより、送出サーバに収録されている素材に対応する素材ボタンのみが提示されるため、送出操作を誤ることなく、確実に行うことができる。
【００１０】
第３の構成は、前記選択処理手段は、前記編集済み素材ボタンとして当該編集済み素材の映像をもとに作成されるサムネイルを表示するものである。  
このようにすると、素材の内容を把握して送出することが可能となるため、選択操作の誤りを防止することができる。
【発明の効果】
【００１１】
したがってこの発明によれば、ライブ素材と編集済み素材とを同一の手順で簡単に送出することができる番組送出システム及び番組送出方法を提供することができる。
【発明を実施するための最良の形態】
【００１２】
以下、図面を参照しながら本発明の実施の形態を詳細に説明する。  
図１は、この発明の番組送出システムの一実施形態を示す構成図である。この番組送出システムは、送出映像選択端末１１と、送出サーバ１２と、映像切替器１３とを備える。生番組の映像素材として、ライブ素材（アナウンサ、および現地中継等）は、カメラＣ１〜Ｃｎ、回線Ｒ１〜Ｒｎ、その他リアルタイム映像ＡＵＸ１〜ＡＵＸｎからリアルタイムに入力され、編集済み素材は、送出サーバ１２内に素材Ａ〜Ｚとしてそれぞれ蓄積されている。送出サーバ１２は、送出映像選択端末１１により指定される編集済み素材を選択されたサーバポートからベースバンド出力する。映像切替器１３には、カメラＣ１〜Ｃｎ、回線Ｒ１〜Ｒｎ、その他リアルタイム映像ＡＵＸ１〜ＡＵＸｎ、及びサーバポートＳＶ１〜ＳＶｎから素材が入力され、映像切替器１３は、送出映像選択端末１１から供給される制御信号に基づいて、上記いずれかの入力ラインを選択してオンエア映像として送出する。また、図１に示すように、送出映像選択端末１１には、ライブ素材を送出するための入力ライン毎のライブ素材ボタン（カメラＣ１〜Ｃｎ、回線Ｒ１〜Ｒｎ、その他リアルタイム映像ＡＵＸ１〜ＡＵＸｎ）と、編集済み素材を送出するための編集済み素材ボタン（素材Ａ〜Ｚ）が配置される。
【００１３】
次に、このように構成される番組送出システムの動作について説明する。  
（編集済み素材ボタン作成処理）  
図２は、送出映像選択端末１１に表示される編集済み素材ボタンの作成処理の手順とその内容を示すフローチャートである。  
送出サーバ１２に、編集済み素材が収録されると（ステップＳ２１）、素材名称（ＩＤ）の入力を受け付け（ステップＳ２２）、当該素材の収録が完了するまで処理を行う（ステップＳ２３）。そして、収録素材の確認のためのプレビューが必要か否かの選択入力を受け付け（ステップＳ２４）、プレビューが必要と選択された場合には、収録された素材を読み出し再生する（ステップＳ２５）。一方、ステップＳ２４において、収録素材の確認を省略する場合には、ステップＳ２６に移行する。そして、送出映像選択端末１１に当該収録素材の編集済み素材ボタンを表示し（ステップＳ２６）、この編集済み素材ボタンに上記入力された素材名称（ＩＤ）を表示する（ステップＳ２７）。
【００１４】
（編集済み素材ボタン削除処理）  
図３は、送出映像選択端末１１に表示される編集済み素材ボタンの削除処理の手順とその内容を示すフローチャートである。  
送出サーバ１２に収録されている編集済み素材の削除要求を受け付ける（ステップＳ３１）と、当該素材名称（ＩＤ）の選択を受け付ける（ステップＳ３２）。そして、選択された素材の削除を行う（ステップＳ３３）。上記素材の削除が完了すると、送出映像選択端末１１において、削除された素材に対応する編集済み素材ボタンを削除する（ステップＳ３４）。
【００１５】
（素材送出処理）  
図４は、この発明の番組送出システムの素材送出処理の手順とその内容を示すフローチャートである。  
送出映像選択端末１１において、ライブ素材ボタンまたは編集済み素材ボタンのいずれかのボタンが押下される（ステップＳ４１）と、編集済み素材ボタンが選択されたか否かを判定する（ステップＳ４２）。この判定において、カメラＣ１〜Ｃｎまたは回線Ｒ１〜Ｒｎ、その他リアルタイム映像ＡＵＸ１〜ＡＵＸｎのいずれかを指定するライブ素材ボタンが選択された場合には、ステップＳ４６に移行して、映像切替器１３を選択された入力ラインに切り替えてオンエア映像として送出する。
【００１６】
一方、ステップＳ４２の判定において、素材Ａ〜Ｚのいずれかを指定する編集済み素材ボタンが選択された場合には、ステップＳ４３に移行して、送出サーバ１２は、複数の出力ポートのうち空きポートを検出し、上記選択された素材の送出を検出された空きポートに割り付ける（ステップＳ４３）。さらに、上記素材の再生開始制御を行ったのち（ステップＳ４４）、映像切替器１３の切替先を上記素材に割り付けられたポートに設定する（ステップＳ４５）。そして、映像切替器１３を設定されたポートに切り替えて選択された素材をオンエア映像として送出する（ステップＳ４６）。
【００１７】
従来では、映像切替を制御する送出映像選択端末１１には、映像切替器１３の入力ライン毎に、選択ボタン（カメラＣ１〜Ｃｎ、回線Ｒ１〜Ｒｎ、その他リアルタイム映像ＡＵＸ１〜ＡＵＸｎ、及びサーバポートＳＶ１〜ＳＶｎ）が配置されていた。そのため、ライブ素材は選択ボタンを選択するだけで送出できるが、送出サーバ１２に収録される編集済み素材は、予め送出サーバ１２側での出力ポートの割り付けと、素材の選択（スタンバイ及び再生制御）、さらに送出映像選択端末１１側での入力ライン（サーバポートＳＶ１〜ＳＶｎ）の選択が必要であった。
【００１８】
これに対し、本発明では、送出映像選択端末１１に、ライブ素材については入力ライン毎のライブ素材ボタンを配置し、編集済み素材については送出サーバ１２に収録される編集済み素材毎に編集済み素材ボタンを配置する。そして、上記編集済み素材ボタンが押下されると、送出サーバ１２は、空きポートを検出し、当該素材の送出を検出された空きポートに割り付け、再生制御を行う。さらに映像切替器１３を上記割り付けられたポートに切り替えることで、上記素材をオンエア映像として出力する。このようにすることで、編集済み素材の送出を素材選択操作のみで行えるため、ライブ素材と編集済み素材の送出操作の手順を同一にすることができ、送出操作を簡単かつ確実に行うことができる。
【００１９】
なお、この発明は、上記実施形態に限定されるものではない。例えば、編集済み素材ボタンに素材映像をもとに作成したサムネイルを表示するようにするとよい。このようにすると、素材の内容を把握して送出することができるため、選択操作の誤りを防止することができる。その他にも、上記述べた番組送出システムの構成及び動作手順とその内容についても、この発明を逸脱しない範囲で種々に変形して実施できる。
【００２０】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２１】
【図１】この発明の番組送出システムの一実施形態を示す構成図。
【図２】図1に示す送出映像選択端末に表示される編集済み素材ボタンの作成処理の手順とその内容を示すフローチャート。
【図３】図1に示す送出映像選択端末に表示される編集済み素材ボタンの削除処理の手順とその内容を示すフローチャート。
【図４】図1に示す番組送出システムの素材送出処理の手順とその内容を示すフローチャート。
【符号の説明】
【００２２】
１１…送出映像選択端末、１２…送出サーバ、１３…映像切替器。
【図１】
2007142572.tif 000003
【図２】
2007142572.tif 000004
【図３】
2007142572.tif 000005
【図４】
2007142572.tif 000006